(57)【要約】【課題】情報記録再生装置に新たに光ディスクが挿入された場合でも、以前に情報記録再生装置にて使用したことがある光ディスクであれば、起動時間を短縮できる記録再生装置を提供する。【解決手段】ＲＦＩＤチップを搭載した光ディスク１０１の記録再生装置において、記録再生装置固有のＩＤ番号をあらかじめ記憶するＩＤ記憶部１１３と、光ディスクに搭載されたＲＦＩＤチップに対し情報を読み書きするためのＲＦＩＤリーダ／ライター１１２と、これにより読み出されたＩＤ番号とＩＤ記憶部に記録されているＩＤ番号とを比較するＩＤ比較部１１４と、ＩＤ比較結果、ＩＤ番号が一致した場合に、読み出された、ＲＦＩＤチップに記録されているディスク種類及び自動調整値を、ディスク判別結果及び自動調整結果として用いて、光ディスクの起動処理を行うＣＰＵ１０９とを備える。【選択図】図１
2007095244.tif 000002
【特許請求の範囲】
【請求項１】
ＲＦＩＤチップを搭載した情報記録媒体の記録再生装置において、
装置固有のＩＤ番号を記憶するＩＤ記憶手段と、
前記情報記録媒体に搭載された前記ＲＦＩＤチップに対し情報を読み書きするためのＲＦＩＤリーダ／ライター手段と、
前記ＲＦＩＤリーダ／ライター手段により読み出されたＩＤ番号と前記ＩＤ記憶手段に記憶されているＩＤ番号とを比較するＩＤ比較手段と、
前記ＩＤ比較手段による比較の結果、ＩＤ番号が一致した場合に、前記ＲＦＩＤリーダ／ライター手段により読み出された、前記ＲＦＩＤチップに記録されている情報記録媒体の種類及び自動調整値を、情報記録媒体判別結果及び自動調整結果として用いて、前記情報記録媒体の起動処理を行う制御手段とを、
備えたことを特徴とする記録再生装置。
【請求項２】
請求項１に記載の記録再生装置において、
前記ＲＦＩＤチップには、前記自動調整値として、前記情報記録媒体に情報信号を記録再生する光ピックアップの温度に応じた自動調整値が書き込まれていて、
前記光ピックアップの温度を検出する温度検出手段を更に備え、
前記制御手段は、前記自動調整値として、前記温度検出手段により検出される光ピックアップの温度に応じた前記自動調整値を前記ＲＦＩＤチップから選択し自動調整結果として用いて、前記情報記録媒体の起動処理を行うことを特徴とする記録再生装置。
【請求項３】
請求項１又は２に記載の記録再生装置において、
前記制御手段は、前記ＩＤ比較手段による比較の結果、ＩＤ番号が一致しない場合に、前記ＲＦＩＤリーダ／ライター手段による前記ＲＦＩＤチップに記録されている前記情報記録媒体の種類の読み出し結果、前記ＲＦＩＤチップに前記情報記録媒体の種類が記録されている場合は、前記情報記録媒体の判別を行わないで前記ＲＦＩＤチップに記録されている前記情報記録媒体の種類の情報を前記情報記録媒体の判別結果として用い、前記情報記録媒体の記録再生のために必要な信号を自動調整して前記情報記録媒体の起動処理を行うことを特徴とする記録再生装置。
【請求項４】
情報記録媒体に搭載されたＲＦＩＤチップに記録された情報を読み出すステップと、
前記ＲＦＩＤチップから読み出されたＩＤ番号とあらかじめ記憶されたＩＤ番号とを比較するステップと、
比較結果、ＩＤ番号が一致した場合に、前記ＲＦＩＤチップから読み出された情報記録媒体の種類及び自動調整値を、情報記録媒体判別結果及び自動調整結果として用いて、前記情報記録媒体の起動処理を行うステップとを、
備えた記録再生方法。
【発明の詳細な説明】
【技術分野】
【０００１】
本発明は、情報記録媒体を記録再生できる記録再生装置及び記録再生方法に関し、特に、記録媒体の起動時間短縮に関する。
【背景技術】
【０００２】
近年、情報記録媒体を使った記録再生装置、特に光ディスクを用いる記録再生装置では、例えばＣＤ−ＤＡと称される音楽情報をあらかじめ記録した再生専用媒体、ＣＤ−ＲＯＭ又はＤＶＤ−ＲＯＭと称されるコンピュータプログラムをあらかじめ記録した再生専用媒体、ＤＶＤ−Ｖｉｄｅｏ、ＤＶＤ−Ａｕｄｉｏ、ＢＤ−ＲＯＭ又はＨＤ ＤＶＤ−ＲＯＭと称される音楽情報と画像情報とをあらかじめ記録した再生専用媒体、ＣＤ−Ｒ、ＤＶＤ−Ｒ又はＢＤ−Ｒと称される色素を記録層に適用した記録型媒体、ＣＤ−ＲＷ、ＤＶＤ−ＲＷ、ＤＶＤ−ＲＡＭ又はＢＤ又はＨＤ ＤＶＤと称される書き換え可能な媒体のように、情報記録媒体の種類が増加し、記録再生装置としてはいずれの情報記録媒体（以下、光ディスクと総称する）にも対応できることが望まれている。
【０００３】
最近では、ＢＤレコーダと称される記録再生装置のように、記録しておいた番組を早く見るため、電源を入れてから記録再生装置の起動時間を速くすることが望まれている。従来、記録再生装置における電源オン後の起動は、一般に、図３で示すようなシーケンスで行われる。すなわち、電源オン後の初期設定で周辺回路やＣＰＵメモリなどが初期化される（Ｓ５１）。次に、光ディスクが記録再生装置に載置されているか否かの有無判別が行われ（Ｓ５２）、光ディスクが載置されていない場合は記録再生動作を行わず記録再生装置を停止する。
【０００４】
Ｓ５２で光ディスクが載置されている場合は、光ディスクを回転駆動するスピンドルモータを回転し（Ｓ５３）、光ディスクの種類の判別を行い、ディスク種類が分かった時点で光ディスクごとの周辺回路設定を行い（Ｓ５４）、サーボ及び信号処理の学習を行い（Ｓ５５）、最後に論理情報であるリードインのコントロールデータや欠陥管理情報を光ディスクから読み出し（Ｓ５６）、起動を終了し記録又は再生を行う（Ｓ５７）。
【０００５】
これらの処理Ｓ５３〜Ｓ５６の起動には、一般には数十秒程度の時間を要する。特に、起動シーケンスにおいて電源オフ後に光ディスクを記録再生装置に装着したままの場合であっても、当該装着している光ディスクに特有のサーボの学習値や信号処理の学習値のいわゆる学習情報、及びコントロールデータや欠陥管理情報などの論理情報はすべてクリアされるため、同じ光ディスクが装着されたままでもいったん電源をオフにすると、次にオンにした際に同じだけの起動時間がかかっていた。
【０００６】
これに対して、起動時間を短縮する方法として、ディスクドライブの初期起動時にサーボの学習値をディスクドライブ内部の不揮発性メモリであるＥＥＰＲＯＭに記憶しておき、電源オフされた後の電源オン時の起動では、当該ＥＥＰＲＯＭの学習値を読み出してサーボの制御として使用することにより、サーボの学習時間を省くことができ、起動時間が短縮できるようにしたものがある（例えば、下記の特許文献１参照）。
【０００７】
また、別の起動時間を短縮する方法として、電源オフ開始時に装着されている光ディスクの有無情報や識別情報、サーボ部の信号処理の学習値、コントロールデータや欠陥管理情報などを、ディスクドライブ外部の制御部に備えるメモリに記憶させ、電源オン開始後にメモリに記憶していたこれらの情報を読み出し、ＣＰＵからサーボ部、増幅器、信号処理部、パワー制御部を制御することにより、ディスクドライブの起動時間を短縮することができるようにしたものがある（例えば、下記の特許文献２参照）。
【０００８】
また、近年、ＲＦＩＤ（Radio Frequency ID）というＩＣチップ技術が知られており、ＲＦＩＤチップを搭載した情報記録媒体及び記録再生装置が提案されている（例えば、下記の特許文献３参照）。
【０００９】
図４は、ＲＦＩＤチップを搭載した情報記録媒体の平面図を示し、図５は、図４のＣ−Ｃ矢視断面図を示す。図４及び図５に示すように、情報記録媒体１１は、ポリカーボネートからなるディスク本体１１ａと、このディスク本体１１ａの中心孔１１ｂの孔縁と所定の間隔をあけて中心孔１１ｂ周囲のディスク本体１１ａ表面に形成された記録膜１１ｃと、この記録膜１１ｃ上にアルミニウム又は金を蒸着することにより形成された反射膜１１ｄと、この反射膜１１ｄの表面に形成された紫外線硬化樹脂からなる保護膜１１ｅとを有する。
【００１０】
情報記録媒体１１は、音声や映像を記録し、かつ、この記録された音声などを再生可能なＤＶＤである。音声や映像は、ディスク本体１１ａの裏面側から照射されるレーザ光により記録膜１１ｃにピットとして形成され、かつ、このレーザ光により記録膜１１ｃのピットが解析されて再生されるように構成される。また、ＲＦＩＤ１４のコイル１６は、ディスク本体１１ａの中心孔１１ｂの周囲を１又は２回以上巻回して形成され、所定の周波数の電波に共振するように構成される。ＩＣチップ１７は、コイル１６の両端に接続される。上記コイル１６及びＩＣチップ１７は、ディスク本体１１ａの内部に設けられる。
【００１１】
具体的には、コイル１６は、絶縁性基材シート１８に積層したアルミニウム箔や銅箔などの導電性材料をエッチング法又は打抜き法などにて不要部分を除去することにより渦巻き状に形成され、コイル１６の内縁と中心孔１１ｂの孔縁との間隔Ａは０．１ｍｍ以上であって、コイル１６の外縁と反射膜１１ｄの内縁との間隔Ｂは２．５ｍｍ以上に形成される。ＩＣチップ１７は、コイル１６の両端に接続された状態で絶縁性基材シート１８に搭載され、コイル１６及びＩＣチップ１７を搭載した絶縁性基材シート１８を金型に装着した状態で成形することによりディスク本体１１ａが形成される。これにより、ＲＦＩＤ１４は、中心孔１１ｂの孔縁と反射膜１１ｄの内縁との間のディスク本体１１ａ内部に設けられる。なお、ＲＦＩＤは、ディスク本体の内部ではなく、ディスク本体の表面に設けてもよい。
【００１２】
図６は、情報記録媒体としてのＤＶＤ１１に設けられたＲＦＩＤ１４と、記録再生装置に設けられた書込・読出手段とを含むブロック線図である。
図６に示すように、ＲＦＩＤ１４のＩＣチップ１７は、電源回路１７ａと、無線周波数（ＲＦ）回路１７ｂと、変調回路１７ｃと、復調回路１７ｄと、ＣＰＵ１７ｅと、ＣＰＵ１７ｅに接続され、かつ、ＤＶＤ１１に記録された番組に関する情報を記憶するメモリ１７ｆとを有する。
【００１３】
電源回路１７ａは、コンデンサ（図示せず）を内蔵し、このコンデンサはコイル１６と共に共振回路を形成する。このコンデンサには、コイル１６が特定の共振周波数の電波を受信したときにその電磁誘導で生じる電力が充電される。電源回路１７ａは、この電力を整流し安定化してＣＰＵ１７ｅに供給し、ＩＣチップ１７を活性化する。メモリ１７ｆは、ＲＯＭ（read only memory）、ＲＡＭ（random access memory）及びＥＥＰＲＯＭ（electrically erasable-programable read only memory）を含み、ＣＰＵ１７ｅの制御の下で書込・読出手段２０からの電波のデータ通信による書込コマンドに応じてデータの書き込みが行われるとともに、書込・読出手段２０からの読出コマンドに応じて記憶されたデータの読み出しが行われる。
【特許文献１】特開２００２−７４６９４号公報
【特許文献２】特開２００４−１１８８８７号公報
【特許文献３】特開２００１−２９７５６８号公報
【発明の開示】
【発明が解決しようとする課題】
【００１４】
ところで、上述した特許文献１及び２に開示された技術では、電源オン時の起動時に光ディスクが記録再生装置に挿入されていることが必要であり、新たに光ディスクが挿入された場合には通常の起動時間を必要とするものである。また、メモリに記憶されるサーボ学習時のピックアップ温度と電源ＯＮ時のピックアップ温度が違う場合は最適なサーボ学習値が異なるためにサーボの起動に失敗することもあった。
【００１５】
本発明は上述した点に鑑みてなされたもので、情報記録再生装置に新たに光ディスクが挿入された場合でも、以前に情報記録再生装置にて使用したことがある光ディスクであれば、起動時間を短縮することが可能な記録再生装置及び記録再生方法を提供することを目的とする。
【課題を解決するための手段】
【００１６】
前記目的を達成するために、本発明に係る記録再生装置は、ＲＦＩＤチップを搭載した情報記録媒体の記録再生装置において、装置固有のＩＤ番号を記憶するＩＤ記憶手段と、前記情報記録媒体に搭載された前記ＲＦＩＤチップに対し情報を読み書きするためのＲＦＩＤリーダ／ライター手段と、前記ＲＦＩＤリーダ／ライター手段により読み出されたＩＤ番号と前記ＩＤ記憶手段に記憶されているＩＤ番号とを比較するＩＤ比較手段と、前記ＩＤ比較手段による比較の結果、ＩＤ番号が一致した場合に、前記ＲＦＩＤリーダ／ライター手段により読み出された、前記ＲＦＩＤチップに記録されている情報記録媒体の種類及び自動調整値を、情報記録媒体判別結果及び自動調整結果として用いて、前記情報記録媒体の起動処理を行う制御手段とを備えたことを特徴とする。
【００１７】
この構成により、新たに情報記録媒体が挿入された場合でも、ＲＦＩＤに記録されているディスク種類及び自動調整値を利用して起動することで、ディスク判別及び自動調整を行う必要がなくなり、起動時間が短縮する。
【００１８】
また、前記ＲＦＩＤチップには、前記自動調整値として、前記情報記録媒体に情報信号を記録再生する光ピックアップの温度に応じた自動調整値が書き込まれていて、前記光ピックアップの温度を検出する温度検出手段を更に備え、前記制御手段は、前記自動調整値として、前記温度検出手段により検出される光ピックアップの温度に応じた前記自動調整値を前記ＲＦＩＤチップから選択し自動調整結果として用いて、前記情報記録媒体の起動処理を行うことを特徴とする。
【００１９】
この構成により、光ピックアップの温度に応じた自動調整値をＲＦＩＤチップから選択して自動調整結果として利用し起動することで、温度に応じた自動調整値を得て、起動処理することができる。
【００２０】
また、前記制御手段は、前記ＩＤ比較手段による比較の結果、ＩＤ番号が一致しない場合に、前記ＲＦＩＤリーダ／ライター手段による前記ＲＦＩＤチップに記録されている前記情報記録媒体の種類の読み出し結果、前記ＲＦＩＤチップに前記情報記録媒体の種類が記録されている場合は、前記情報記録媒体の判別を行わないで前記ＲＦＩＤチップに記録されている前記情報記録媒体の種類の情報を前記情報記録媒体の判別結果として用い、前記情報記録媒体の記録再生のために必要な信号を自動調整して前記情報記録媒体の起動処理を行うことを特徴とする。
【００２１】
この構成により、前記ＩＤ比較手段による比較結果、ＩＤ番号が一致しないが、ＲＦＩＤチップにディスク種類が記録されている場合は、ディスク判別を行わないで前記ＲＦＩＤチップに記録されているディスク種類の情報をディスク判別結果として用い、情報記録媒体の記録再生のために必要な信号を自動調整して情報記録媒体の起動処理が行われる。
【００２２】
さらに、本発明に係る記録再生方法は、情報記録媒体に搭載されたＲＦＩＤチップに記録された情報を読み出すステップと、前記ＲＦＩＤチップから読み出されたＩＤ番号とあらかじめ記憶されたＩＤ番号とを比較するステップと、比較結果、ＩＤ番号が一致した場合に、前記ＲＦＩＤチップから読み出された情報記録媒体の種類及び自動調整値を、情報記録媒体判別結果及び自動調整結果として用いて、前記情報記録媒体の起動処理を行うステップとを備えたことを特徴とする。
【００２３】
この構成により、新たに情報記録媒体が挿入された場合でも、ＲＦＩＤに記録されているディスク種類及び自動調整値を利用して起動することで、ディスク判別及び自動調整を行う必要がなくなり、起動時間が短縮する。
【発明の効果】
【００２４】
本発明によれば、新たに情報記録媒体が記録再生装置に挿入された場合でも、ＲＦＩＤに記録してあるディスク種類及び自動調整値を利用して起動することで、ディスク判別、自動調整を行う必要がなくなり、起動時間を短縮するという効果がある。
【発明を実施するための最良の形態】
【００２５】
本発明の一実施の形態について図面を参照して説明する。
図１は、本発明の実施の形態１に係る記録再生装置として、テレビ番組やビデオカメラなどからの映像音声信号を記録再生できるレコーダの構成を示すブロック図である。
図１において、１はＲＦＩＤチップを搭載した情報記録媒体である光ディスクを記録再生できるディスクドライブ、２はディスクドライブ１の記録再生動作、入出力端子３からの各種情報信号、及びディスクドライブ１の電源のオン・オフを制御する制御部である。
【００２６】
ディスクドライブ１は、ＲＦＩＤチップを搭載した光ディスク１０１を回転駆動するスピンドルモータ１０２と、光ディスク１０１の情報層（図示せず）に入出力端子３から入出力する情報信号を記録再生する光ピックアップ１０３と、スピンドルモータ１０２及び光ピックアップ１０３を制御するサーボ部１０４と、光ピックアップ１０３の出力信号からＲＦ信号やサーボ信号を増幅する増幅器１０５と、増幅器１０５の出力信号を２値化する信号処理部１０６と、信号処理部１０６で２値化したＲＦ信号をデコードするデコーダ１０７と、デコーダ１０７の出力信号を一時格納するデータバッファ１０８とを備える。
【００２７】
また、ディスクドライブ１は、ディスクドライブ１の記録再生動作などを制御する制御手段としてのＣＰＵ１０９と、データバッファ１０８から得た情報信号をエンコードするエンコーダ１１０と、エンコーダ１１０のエンコード信号をＣＰＵ１０９の制御信号で制御し光ピックアップ１０３のレーザ光源（図示せず）のパワーを制御するパワー制御部１１１と、光ディスク１０１上にあるＲＦＩＤチップを読み書きするＲＦＩＤリーダ／ライター１１２と、ディスクドライブ１の固有のＩＤ番号を記憶するＩＤ記憶部１１３と、ＲＦＩＤリーダ／ライター１１２により読み込まれたＩＤ番号とＩＤ記憶部１１３のＩＤ番号とを比較するＩＤ比較部１１４と、サーボや記録信号の自動調整を行う自動調整部１１５と、ディスクの種類を判別するディスク判別部１１６と、光ピックアップ１０３の温度を検出する温度検出部１１７とを備える。
【００２８】
なお、ＣＰＵ１０９は、データバッファ１０８から制御信号成分を入力し、パワー制御部１１１の他、サーボ部１０４、増幅器１０５、信号処理部１０６、ＲＦＩＤリーダ／ライター１１２、ＩＤ記憶部１１３、ＩＤ比較部１１４、自動調整部１１５及びディスク判別部１１６も制御する制御信号を出力する。
【００２９】
以上のように構成されたレコーダの動作について、図１、図２を参照しながら説明する。
図２は、図１に示す構成の記録再生装置の動作を説明するためのもので、ディスクドライブ１の制御手段としてのＣＰＵ１０９による、ディスク挿入から記録動作又は再生動作を完了するまでに必要な主なステップを示すフローチャートである。
【００３０】
まず、光ディスク１０１が挿入されると、ＣＰＵ１０９は、ディスクドライブ１のサーボ部１０４、増幅器１０５、信号処理部１０６及びパワー制御部１１１などの周辺回路、及びデータバッファ１０８、ＩＤ記憶部１１３、ＩＤ比較部１１４、自動調整部１１５、ディスク判別部１１６、温度検出部１１７を初期化する初期設定を行う（ステップＳ１）。
【００３１】
次に、ＣＰＵ１０９は、ＲＦＩＤリーダ／ライター１１２を用いて光ディスク１０１上にあるＲＦＩＤチップに記録されているＩＤ番号、ディスク種類、光ピックアップ１０３の温度に応じた自動調整値を読み取る（ステップＳ２）。そして、ＩＤ記憶部１１３に記憶されているＩＤ番号とＲＦＩＤチップに記録されているＩＤ番号とをＩＤ比較部１１４にて比較する（ステップＳ３）。
【００３２】
ここで、ＲＦＩＤチップに記録されているＩＤ番号とＩＤ記憶部１１３のＩＤ番号が一致した場合（ステップＳ３）は、温度検出部１１７により光ピックアップ１０３の温度を取得し（ステップＳ４）、ＲＦＩＤに記録してあるディスク種類及び各温度に対する自動調整値をディスク判別結果及び自動調整結果としてディスクの起動処理を開始する（ステップＳ５）。なお、温度検出部１１７で取得した温度に該当する温度データがＲＦＩＤチップに記録されていない場合は最も近い温度データを選択して使用する。起動処理が終了した後は、記録／再生が可能となる（ステップＳ６）。
【００３３】
他方、ＲＦＩＤチップに記録されているＩＤ番号とＩＤ記憶部１１３のＩＤ番号が一致しない場合（ステップＳ３）は、ＲＦＩＤにディスク種類が記録されているか否かを判定し（ステップＳ７）、ディスク種類が記録してある場合には、ＲＦＩＤに記録してあるディスク種類情報をディスク判別結果として起動処理を開始し（ステップＳ８）、自動調整部１１５によりサーボ部１０４及び信号処理部１０６の学習を行い、論理情報であるリードイン領域のコントロールデータ及び欠陥管理情報をディスク１０１から読み込み、データバッファ１０８に格納した後、起動処理を終了することで（ステップＳ９）、記録再生が可能となる（ステップＳ６）。
【００３４】
ＲＦＩＤにディスク種類が記録されてない場合には（ステップＳ７）、従来通りの起動処理を開始する。すなわち、ディスク判別部１１６によりディスクの判別を行う（ステップＳ１０）。そして、自動調整部１１５によりサーボ部１０４及び信号処理部１０６の学習を行い、論理情報であるリードイン領域のコントロールデータ及び欠陥管理情報をディスク１０１からの読み込みを行い、データバッファ１０８に格納した後、起動処理を終了することで（ステップＳ９）、記録再生が可能となる（ステップＳ６）。
【００３５】
以上説明した構成及び動作を有する記録再生装置及び記録再生方法によれば、新たに光ディスク１０１が挿入された場合でも、従来ならばディスク判別、自動調整が必要であったが、光ピックアップ１０３で光ディスク１０１を読みに行く前に、光ディスク１０１上にあるＲＦＩＤに記録してあるディスク種類及び自動調整値をＲＦＩＤリーダ／ライター１１２が先行して読み込むことにより、ディスク判別、自動調整を行う必要がなくなり、起動時間を大幅に短縮することができる。また起動処理終了後、ＣＰＵ１０９により適宜自動調整を行い、更新した自動調整値をＲＦＩＤリーダ／ライター１１２によりＲＦＩＤチップ搭載光ディスク１０１に記録することにより、次回の起動時間を短縮するだけでなく精度も上げることができる。
【図面の簡単な説明】
【００３６】
【図１】本発明の実施の形態１に係る記録再生装置として、テレビ番組やビデオカメラなどからの映像音声信号を記録再生できるレコーダの構成を示すブロック図である。
【図２】本発明の実施の形態１に係る記録再生装置の動作を説明するためのフローチャートである。
【図３】一般的な記録再生装置における電源オン後の起動シーケンス図である。
【図４】特許文献３に開示されたＲＦＩＤチップを搭載した記録媒体の平面図である。
【図５】特許文献３に開示されたＲＦＩＤチップを搭載した記録媒体の断面図である。
【図６】特許文献３に開示された記録媒体としてのＤＶＤに設けられたＲＦＩＤと、記録再生装置に設けられた書込・読出手段とを含むブロック線図である。
【符号の説明】
【００３７】
１  ディスクドライブ（記録再生装置）
２  制御部
３  入出力端子
１０１  光ディスク（ＲＦＩＤチップを搭載した情報記録媒体）
１０２  スピンドルモータ
１０３  光ピックアップ
１０４  サーボ部
１０５  増幅器
１０６  信号処理部
１０７  デコーダ
１０８  データバッファ
１０９  ＣＰＵ（制御手段）
１１０  エンコーダ
１１１  パワー制御部
１１２  ＲＦＩＤリーダ／ライター（ＲＦＩＤリーダ／ライター手段）
１１３  ＩＤ記憶部（ＩＤ記憶手段）
１１４  ＩＤ比較部（ＩＤ比較手段）
１１５  自動調整部
１１６  ディスク判別部
１１７  温度検出部（温度検出手段）
【図１】
2007095244.tif 000003
【図２】
2007095244.tif 000004
【図３】
2007095244.tif 000005
【図４】
2007095244.tif 000006
【図５】
2007095244.tif 000007
【図６】
2007095244.tif 000008